(57)【要約】【課題】指向性のある小型の平面アンテナを手軽に設置できるようにする。【解決手段】サッシ枠１１の上方のレールに取付けられる係止部１３と、取り付け孔１４を設けた保持部１５とを有するサッシ用取付金具の前記係止部１３にレールに沿って左右方向に張り出したストッパーを設ける。一方、保持部５をサッシ枠１１に対して前後方向に回動自在に支持されるようにする。そして、保持部５に平面アンテナ２１を取り付け、平面アンテナ２１を取り付けた金具１０をサッシ枠１１に取り付ける。すると、保持部１５を前後に回動させ、アンテナを左右に動かすと通信先の方角に合わせて簡単にアンテナの向きを調整できる。【選択図】図１
2005188224.tif 000002
【特許請求の範囲】
【請求項１】
引き違い戸を左右に開閉するサッシ枠の上方のレールに取付けられる係止部と、取付け孔を有する保持部とを有し、
上記系止部がサッシ枠のレールに沿って左右方向に張り出したストッパーを備えるとともに、上記保持部がサッシ枠に対して前後方向に回動自在に支持されたサッシ用取付金具。
【請求項２】
上記保持部を戸から離すスペーサ部を設けた請求項１に記載のサッシ用取付金具。
【請求項３】
上記保持部の取付け孔を前後方向に複数個並行して設けた請求項１または２に記載のサッシ用取付金具。
【請求項４】
上記保持部の取付け孔を平面アンテナの接栓を取付ける取付け孔とした請求項１乃至３のいずれかに記載のサッシ用取付金具。
【請求項５】
引き違い戸を左右に開閉するサッシ枠の上方のレールに取付けられる係止部を有するサッシ用取付金具で、平面アンテナをサッシ枠に取付け、そのサッシ枠に取付けたサッシ用取付金具で平面アンテナの向きを変えるようにするサッシ用取付金具を用いた平面アンテナの取付け方法。
【発明の詳細な説明】
【技術分野】
【０００１】
この発明は、指向性のある例えば、アンテナ、センサ、光通信器、監視カメラ・・・などをサッシ枠に取り付けるためのサッシ用取付金具に関するものである。
【背景技術】
【０００２】
平面アンテナは、小さなアンテナ素子を平面状に多数並べた構造で、受信時に各アンテナ素子で受けた電波を合成するので、微弱な電波も効率よく受信できる。そのため、小型、軽量化が図れると同時に、アンテナの指向特性も優れたものにできるなどの特長がある。
【０００３】
ところで、このような指向特性の優れた平面アンテナの設置は、図９の（例えば、特許文献１）のように、平面アンテナ１にブラケット２を取付け、そのブラケット２を介して平面アンテナ１アンテナ取付け具３に取付けることにより、平面アンテナ１の向きを調整できるようにしている。
【０００４】
すなわち、アンテナ取付け具３は、マスト４と座板５ａ、５ｂで構成され、金属製のマスト４をブラケット２のホルダー金具６に挿通し、平面アンテナ１を固定するようになっている。また、ブラケット２のホルダー金具６は、長ねじ７と仰角セットノブ８を備えて、長ねじ７で平面アンテナ１の左右方向の向きを調整し、セットノブ８で平面アンテナ１の上下方向の向きを調整できるようにしている。さらに、アンテナ取付け具３の座板５ａと５ｂとをねじで固定できるようにすることでベランダのフェンスやアンテナマストなどに取付けることができるようにしている。
【特許文献１】特開２００２−０４３８１７号公報
【発明の開示】
【発明が解決しようとする課題】
【０００５】
しかしながら、上記の取り付け方法は、上下左右などあらゆる方向に平面アンテナを向けることができるように、長ねじと仰角セットノブを使用した取り付け構造が強固なものとなっている。そのため、金具自体も大きなものになってしまう問題がある。これは、３０センチ程度の大きさの衛星放送受信用のアンテナのものであればよいが、例えば無線ＬＡＮなどに使われる小型のアンテナでは大掛かり過ぎるし、美観も損なう問題がある。
【０００６】
また、このように大掛かりすぎるので、特に、小型のアンテナを室内設置する場合は、不向きであるという問題もある。このとき、平面アンテナをスタンドなどで窓際などに設置することも考えられるが、スタンドを固定していないと、簡単に動いてしまって安定した通信できなくなる問題がある。
【０００７】
一方、壁面などに固定すると、建物に疵をつけることになるので、困るという問題がある。
【０００８】
そこで、この発明の課題は、例えば、小型の平面アンテナなど指向性のあるものを、もっと手軽に、かつ、建物などに疵を付けることなく設置できるようにすることである。
【課題を解決するための手段】
【０００９】
上記の課題を解決するため、この発明では、引き違い戸を左右に開閉するサッシ枠の上方のレールに取付けられる係止部と、取付け孔を有する保持部とを有し、上記係止部がサッシ枠のレールに沿って左右方向に張り出したストッパーを備えるとともに、上記保持部がサッシ枠に対して前後方向に回動自在に支持された構成を採用したのである。
【００１０】
このような構成を採用することにより、サッシ用取付金具は、係止部でもって引き違い戸のサッシ枠の上方のレールに取付けることができる。その際、保持部には、取付け孔に取付けられるものであれば保持できる。また、取付け孔に保持したものは、保持部が前後に動いて向きを変えられる。さらに、保持部が保持したものは、戸の開放時に開放した戸がストッパーに当接して衝突から保護する。
【００１１】
その際、上記保持部を戸から離すスペーサ部を設けた構成を採用できる。
【００１２】
このような構成を採用することにより、保持部はスペーサの分だけ戸から離せるので、その離す距離を適宜設定すれば、保持部の取付け孔に取付けたものを取付け孔を軸にして向きを変えても（戸を開けなくとも）戸にぶつからなくできる。
【００１３】
また、その際、上記保持部の取付け孔を前後方向に複数個並行して設けた構成を採用することができる。
【００１４】
このような構成を採用することにより、取付ける孔を適宜選択することにより、戸からの距離を調整できるので、大きさの違うものも取り付けられる。
【００１５】
また、その際、上記保持部の取付け孔を平面アンテナの接栓を取付ける取付け孔とした構成を採用することができる。
【００１６】
このような構成を採用することにより、平面アンテナを保持部に取り付ければサッシの枠に取付けて前後方向に回動さたり、左右方向に回転させて向きを調整できる。
【００１７】
また、引き違い戸を左右に開閉するサッシ枠の上方のレールに取付けられる係止部を有するサッシ用取付金具で、平面アンテナをサッシ枠に取付け、そのサッシ枠に取付けたサッシ用取付金具で平面アンテナの向きを変えるようにするという方法を採用することができる。
【発明の効果】
【００１８】
この発明は、以上のように構成したことにより、例えば、小型の平面アンテナなど指向性のあるものを手軽に、かつ、建物などに疵を付けることなくサッシ枠に設置できる。
【発明を実施するための最良の形態】
【００１９】
以下、この発明の最良の実施の形態を図面に基づいて説明する。
【００２０】
図１〜図３に示すサッシ用取付金具１０は、引き違い戸ｄを左右に開閉するサッシ枠１１の上方のレール１２に取付けられる係止部１３と、取付け孔１４を設けた保持部１５とを有し、その係止部１３と保持部１５の間にスペーサ部Ｓを設けた構成となっている。
【００２１】
上記係止部は、図１及び図２に示すように、Ｕ字型に形成してサッシ枠１１のレール１２に嵌めることができる係合部１６を有しており、その係合部１６のＵ型の深さは、サッシ枠１１のレール１２が十分に嵌るように設定されている。また、そのＵ字型の部分に、２本の六角ボルト１７を取付けるとともに、Ｕ字型の開口内に疵防止用の当て板１８とゴム板１９とを配置し、その当て板１８とゴム板１９の間にサッシ枠１１のレール１２を挟み、レール１２を挟んだ当て板１８を前記ボルト１７で圧接することにより、サッシ枠１１に取り付けるようになっている。このとき、圧接に六角ボルト１７を用いたのは、ネジにするとサッシ枠１１が邪魔をしてトライバーで取り付けられないので、レンチ（厚の薄い）でもって締め付けができるようにしたためである。このように、特殊な工具は必要なく一般的な工具で取り付け取り外しが簡単にできる。
【００２２】
一方、係止部１３の両サイドには、図１及び図２に示すように、サッシ枠１１のレール１２に沿って左右方向に張り出したストッパー２０が設けられている。前記ストッパー２０は、その長さを後述の保持部１５に取付ける平面アンテナ２１の幅より長くなるようにして、戸ｄの開放時に戸ｄに当接して前記アンテナ２１を保護できるようにしてある。また、このストッパー２０の先端に取り外し自由のゴムキャップ２２を取付けて、取付け時の安全を図るとともに、取付け後に戸ｄが衝突しても疵を付けないようにしてある。
【００２３】
保持部１５は、図１に示すように、Ｕ字型の中央の平板な部分に取付け孔１４を設けたもので、中央の取付け孔を設ける部分を突出させて取付け孔１４を複数個設けられるようになっている。また、保持部１５のＵ字型の両側には、ねじ止用の貫通孔２４が設けられており、係止部１３との間に設けられた連結部２３と接続するようになっている。
【００２４】
すなわち、前記連結部２３は左右を９０°内側に折り曲げた部分にねじ孔２５を形成し、そのねじ孔２５にワッシャを介して保持部１５をねじ止めすることで、保持部１５を前後方向に回動自在に動かせるようになっている。
【００２５】
一方、この連結部２３と係止部１３の間にスペーサ部Ｓが設けられている。前記スペーサ部Ｓは、２本の細い板状のもので、斜め下方に傾斜させることにより、図２のように、保持部１５を戸ｄから離すようになっている。そして、このように斜めにスペーサ部Ｓを傾斜させたものとすることにより、サッシ枠１１と干渉しないようにしたのである（直角なものとすると、サッシ枠１１に接触する危険がある）。
【００２６】
なお、符合３０は壁面などにねじ止めするための貫通孔である。
【００２７】
この形態は、上記のように形成されており、図１のようにナット２６でもって取り付けられるようにネジ溝の形成された平面アンテナ２１の接栓２７を、保持部１５の取付け孔１４に挿入し、ワッシャを嵌めてナット２６でもって止める。このとき、取付け孔１４を選ぶことで、戸ｄからの距離を調整できるので、サイズの違うアンテナ２１も取り付けて使用できる。
【００２８】
このように平面アンテナ２１を取り付けた金具１０をサッシ枠１１に取り付ける。この取り付けは、図２に示すように、係止部１３の係合部１６のＵ字型の当て板１８とゴム板１９の間にサッシ枠１１のレール１２を嵌め、その係合部１６とサッシ枠１１の間に付属のレンチを入れて締める。締め終わると、保持部１５を前後に回動させ、前記アンテナ２１を左右に動かし、図４のように通信先の方角に合わせると、簡単に前記アンテナ２１の向きを調整できる。また、その際、保持部１５はスペーサ部Ｓの分だけ戸ｄから離れているので、戸ｄを開けなくとも平面アンテナ２１を取付け孔１４を軸にして向きを変えても戸ｄにぶつかることはない。このように、アンテナ２１は窓ガラスとの干渉により多少の制約はあるが、どの方向にも回転可能である。
【００２９】
また、戸ｄの開放の際には、図３に示すように、ストッパー２０が開放した戸ｄに当接して平面アンテナ２１の破損を防止することができる。
【００３０】
このように平面アンテナ２１を一般的な窓（ベランダなどの窓にも）や戸に取り付けることができる。また、サッシ枠１１のレール１２を利用して取り付けるので、レール１２のある窓枠に取り付けることも可能である。
【００３１】
このように、平面アンテナ２１を手軽に、かつ、建物などに疵を付けることなく室内側のサッシ枠１１に設置できる。
【実施例１】
【００３２】
図５〜８に示す実施例は、先の形態のスペーサ部Ｓを省いたものである。そのため、図５に示すように、連結部２３が直接係止部１３に接続された構造となっている。
【００３３】
このような構造のため、平面アンテナ２１を取付け孔１４を軸にして回転させると、図７に示すように、戸ｄにぶつかる場合があるが、前後方向には回動できるので、そのような使い方で良い場合は、、保持部１５が先の形態のように室内側に出っ張らないので、美観上優れており、スペーサ部Ｓを設けないので、強度も強くできるので、設置場所に応じて使い分けるようにすればよい。
【００３４】
なお、他の構成は先で説明した実施形態と同じなので、図面に同一符号を付して説明は省略する。
【産業上の利用可能性】
【００３５】
この発明は、取付け孔に取り付けられるものであれば、簡単にサッシ枠に取り付けることが出来る。また、取り付けたものの向きを前後に回転させたり、左右に回転させて位置をきめられるので、実施形態で述べた平面アンテナの他、防犯用の焦電センサや小型ビデオカメラの取り付けに使用したり、光通信器を取り付けて見通し内通信に使用できるものである。
【図面の簡単な説明】
【００３６】
【図１】実施形態の分解斜視図
【図２】実施形態の側面図
【図３】実施形態の横断面図
【図４】実施形態の作用説明図
【図５】実施例の斜視図
【図６】実施例の側面図
【図７】実施例の横断面図
【図８】実施例の作用説明図
【図９】従来の側面図
【符号の説明】
【００３７】
１０  サッシ用取付金具
１１  サッシ枠
１２  レール
１３  係止部
１４  取付け孔
１５  保持部
２１  平面アンテナ
２７  接栓
Ｓ    スペーサ部
【図１】
2005188224.tif 000003
【図２】
2005188224.tif 000004
【図３】
2005188224.tif 000005
【図４】
2005188224.tif 000006
【図５】
2005188224.tif 000007
【図６】
2005188224.tif 000008
【図７】
2005188224.tif 000009
【図８】
2005188224.tif 000010
【図９】
2005188224.tif 000011